(57)【要約】【課題】壁面を傷つけることもなく、模様替えを容易に行え、しかも地震にも強いクローゼット内収納ユニットを提供することを課題とする。【解決手段】    クローゼット(1)の側壁面(2)に当接させてそれぞれ配置され、クローゼット(1)の天井面(3)より低い位置にて同じ高さに天板(15)を有する２つの収納ボックス(10)と、  収納ボックス(10)の天板(15)間に架設される架設棚板(20)と、  架設棚板(20)の下面に取り付けられ、収納ボックス(10)同士の対向面(15a)に当接する軸材(25)とで構成されることを特徴とする。【選択図】図２
2013072202.tif 000002
【特許請求の範囲】
【請求項１】
クローゼットの側壁面に当接させてそれぞれ配置され、クローゼットの天井面より低い位置にて同じ高さに天板を有する２つの収納ボックスと、
前記収納ボックスの天板間に架設される架設棚板と、
前記架設棚板の下面に取り付けられ、前記収納ボックス同士の対向面に当接する軸材とで構成されることを特徴とするクローゼット内収納ユニット。
【請求項２】
収納ボックスは、その対向面側に開口部が形成されていることを特徴とする請求項１に記載のクローゼット内収納ユニット。
【発明の詳細な説明】
【技術分野】
【０００１】
近年、衣服や種々の物品を収納するためにタンス或いは押入に代わってクローゼットが広く用いられるようになってきた。しかしながら、新築またはリフォーム時に大工が例えばクローゼットの壁面に棚板を固定的に設けたり、或いは一定間隔でダボを取り付け、このダボに棚板を架設するというような施工をした場合、棚板の高さを変えることすら出来ないか、或いは僅かに棚板の高さを変える程度の変更しかできず、時々に応じて簡単にクローゼット内の模様替えができなかった。
【０００２】
そこでその改善例として例えば、特許文献１が挙げられる。このものはクローゼットの対向壁面に天板保持具を、強度を高めるための取付板を奥壁にそれぞれビス止めし、これらに天板を架設して更にビス止めし、左右両側壁面間に架設された該天板と床面に挟まれる空間内において、左右方向に間隔をあけて二つの仕切板を平行に立設して着脱可能な結合部材によって移動可能に保持し、更にこの仕切板間に複数段の棚板を配置し、結合部材によって仕切板と棚板とを固定するようになっている。
【０００３】
このように仕切板は天板に着脱可能な結合部材によって固定されるようになっているので、複数段の棚板と立設された２枚の仕切板を１セットとし、居住者の生活状況の変化に合わせて容易にその位置を変更することができるだけでなく、奥壁に補強用の取付板がビス止めされ且つ左右両側壁面にビス止めされた天板保持具に固定された天板に仕切板が固定され、更にこれらは棚板に固定されているので、全体的に強度をもたせ、耐震性に優れたクローゼット用の収納装置を提供することができるとしている。
【先行技術文献】
【特許文献】
【０００４】
【特許文献１】特開２００７−３９８８１
【発明の開示】
【発明が解決しようとする課題】
【０００５】
しかしながらこのクローゼット用の収納装置の天板は天板保持具で壁面に固定し、また、強度を高めるための取付板を奥壁に固定する必要があるため、賃貸住宅では壁面を傷つけることになり利用できない場合がある。
【０００６】
本発明はこのような問題点に鑑みてなされたもので、壁面を傷つけることなく、模様替えを容易に行え、しかもフリーでありながら地震にも強いクローゼット内収納ユニットを提供することを課題とするものである。
【課題を解決するための手段】
【０００７】
請求項１のクローゼット内収納ユニット(A)は、
クローゼット(1)の側壁面(2)に当接させてそれぞれ配置され、クローゼット(1)の天井面(3)より低い位置にて同じ高さに天板(15)を有する２つの収納ボックス(10)と、
収納ボックス(10)の天板(15)間に架設される架設棚板(20)と、
架設棚板(20)の下面に取り付けられ、収納ボックス(10)同士の対向面(15a)側に当接する軸材(25)とで構成されることを特徴とする。
【０００８】
請求項２は請求項１の変形例で、収納ボックス(10)はその対向面(15a)に開口部(12)が形成されていることを特徴とする。
【発明の効果】
【０００９】
本発明は、クローゼット(1)の両側壁面(2)に当接させて配設される２つの収納ボックス(10)と軸材(25)が設けられた架設棚板(20)とで構成され、固定具（釘、ビス等）などで固定されていないので、収納ボックス(10)の位置の変更或いは収納ボックス(10)そのものの交換は容易であり、変更後、収納ボックス(10)の上に架設棚板(20)を載せるだけで簡単に模様替えができる。そしてこの時、前述のようにクローゼット(1)の側壁面(2)に固定具（釘、ビス等）で固定する必要がなく、クローゼット(1)の側壁面(2)を傷つけることがない。
【００１０】
また、２つの収納ボックス(10)の天板(15)はクローゼット(1)の天井面(3)より低い位置にて同じ高さに設けられているので、天板(15)間に水平に架け渡された架設棚板(20)とクローゼット(1)の天井面(3)との間には十分な収納空間(8)を確保することができる。
【００１１】
また、収納ボックス(10)の対向面(15a)は架設棚板(20)の下面に取り付けられた軸材(25)に当接されているので、収納ボックス(10)の壁側の面(16a)はクローゼット(1)の側壁面(2)にそれぞれ当接しており、反対側の対向面(15a)は架設棚板(20)の軸材(25)に係合しているため軸材(25)の係合方向において収納ボックス(10)は確実にこれらに挟まれて拘束されることになり、収納ボックス(10)を固定具でクローゼット(1)の側壁面(2)に固定していなくともこの状態で仮に地震に見舞われたとしても収納ボックス(10)がクローゼット(1)内で倒れる心配は少ない。
【００１２】
なお、収納ボックス(10)の開口部(12)をクローゼット(1)の室内側（対向面(15a)側）に設けておけば、壁際のデッドスペースを有効活用できるし、架設棚板(20)の軸材(25)を収納ボックス(10)に係合するように取り付けることで、収納ボックス(10)間に架設棚板(20)を簡単かつ確実に係合状態で架設することができる。
【図面の簡単な説明】
【００１３】
【図１】本発明の第１実施例の平断面図。
【図２】図１のクローゼット部分だけを断面した正面図。
【図３】図１の中央縦断面図。
【図４】本発明の第２実施例のクローゼット部分だけを断面した正面図。
【発明を実施するための形態】
【００１４】
以下、本発明を図示実施例に従って説明する。本発明のクローゼット内収納ユニット(A)では、２つの収納ボックス(10)、架設棚板(20)および軸材(25)とで構成される。クローゼット(1)とはカバンやバッグ類その他様々な身の回り品、衣類などを仕舞う洋風の空間で、その開口部(5)には図２に仮想線で示す天井面(3)からの垂れ壁(6)や、側壁面(2)の開口端から突出した縁壁(7)が設けられ、更に両側壁面(2)、天井面(3)及び奥壁(4)を有し、２つの収納ボックス(10)が配置され、更に収容される品々に合わせてハンガー掛け(30)、小型のタンス（図示せず）などが空いた空間に配置される。そのため生活状況によって収容される品々が次第に変化して行くので、これに合わせて簡単に模様替えができることが好ましい。
【００１５】
収納ボックス(10)はどのような構成のものでもよいが、架設棚板(20)を水平に保持するため、対となる収納ボックス(10)の天板(15)の高さは床面(9)から同じ高さに設定されている。そして、架設棚板(20)の上に上側収納空間(8)を設ける必要からクローゼット(1)の天井面(3)より充分低い位置に設けられることになる。
【００１６】
図１〜３の収納ボックス(10)は、幅が違うが左右対称のもので、クローゼット(1)の側壁面(2)に当接して配置される側面板(16)、側面板(16)の前端縁及び後端縁に取り付けられた前面板(17)、背面板(18)、前面板(17)と背面板(18)の間に設けられた複数段の下部棚板(19a)、側面板(16)に取り付けられた複数段の上部棚板(19b)、及び側面板(16)の上端に取り付けられた天板(15)とで構成され、前面板(17)と背面板(18)とで囲まれたボックス部分は、該収納ボックス(10)をクローゼット(1)内に配置した時に互いに対向する面が開口することになる。この開口部を(12)で示す。
【００１７】
勿論、収納ボックス(10)は図１〜３に示すような形状のものに限られず、図４に示すように、何れもクローゼット(1)の開口部(5)側に開口し、クローゼット(1)の開口部(5)側から布団(40)や身の回り品その他の品々を出し入れできるようにしてもよい。この場合は布団(40)を保持する関係から、布団棚(19c)は厚手で大きな開口幅が取れるように横長のものが使用される。しかしながらいずれの場合でも天板(15)は床面(9)から同じ高さに設定されることになる。
【００１８】
架設棚板(20)は収納ボックス(10)をクローゼット(1)内に収納した場合、収納ボックス(10)の天板(15)上に架設することができるだけの長さで、且つ棚板として使用するため、これに限られることはないが、少なくともその幅は天板(15)の奥行きに等しいものであることが好ましい。勿論、広くてもよいし、狭くてもよいことは言うまでもない。図１の場合はクローゼット(1)の奥行き深さより若干幅狭のものが使用されている。そして、架設棚板(20)の中央には一定間隔で通孔(21)が長手方向に１列（勿論、複数列でもよい）穿設されている。前記通孔(21)は単なる丸孔でもよいが、軸材(25)の長手方向の位置調整が出来るように架設棚板(20)の長手方向に伸びた長孔（図示せず）でもよい。
【００１９】
軸材(25)は断面長方形の長尺の角材、或いは、２本の短尺の角材としてもよい。軸材(25)の架設棚板(20)への取り付け面に前記通孔(21)と同じ間隔で例えば鬼目ナット(26)が埋設されている。通常、架設棚板(20)と軸材(25)は施工前には分離しているが、通孔(21)が長孔で、軸材(25)が２本で構成され、ネジ止め位置を調整できるような場合は一体化しておいてもよい。
【００２０】
上記収納ボックス(10)や架設棚板(20)、軸材(25)は木材（挽材、合板、集成材、ＬＶＬ等）からなる。
【００２１】
しかして、収納ボックス(10)の側面板(16)をクローゼット(1)の側壁面(2)に当接（この場合はほぼ全面に亙って当接）させてそれぞれ配置し、続いて収納ボックス(10)の天板(15)間の寸法に合わせて長尺の軸材(25)を切断する。そして、切断された軸材(25)を架設棚板(20)にネジ(22)にて固定し、然る後、軸材(25)から延出している架設棚板(20)の延出部分(20a)を収納ボックス(10)の天板(15)上に載置し、同時に架設棚板(20)に固定されている軸材(25)の端面を前記天板(15)の対向面(15a)に係合する。軸材(25)が２本の短尺材で通孔(21)が長孔の場合、前述のように軸材(25)を切除することなく軸材(25)の端面が前記天板(15)の対向面(15a)に係合するように調整し、ネジ(22)で固定することになる。勿論、通孔(21)と鬼目ナット(26)の取り付けは上記の逆であってもよいことは言うまでもない。
【００２２】
そして、収納ボックス(10)間の空きスペースや架設棚板(20)上の上側収納空間(8)に収納可能な整理用家具、例えばハンガー掛け(30)や整理ボックス（図示せず）を収納したり、カバンや衣服など身の回り品を適宜収納する。
【００２３】
模様替えが必要になれば、軸材(25)ごと架設棚板(20)を外し、収納ボックス(10)の位置を変えたり、新しい収納ボックス(10)に変更した後、前述のように軸材(25)の切断を含む調整を行った後、架設棚板(20)を収納ボックス(10)に架け渡す。
【００２４】
また、この状態で地震に見舞われた場合、収納ボックス(10)の対向面(15a)は架設棚板(20)の下面に取り付けられた軸材(25)に当接され、収納ボックス(10)の壁側の面(16a)はクローゼット(1)の側壁面(2)にそれぞれ当接しているので、収納ボックス(10)に揺れが加わっても収納ボックス(10)は軸材(25)とクローゼット(1)の側壁面(2)に確実に拘束されることになり、収納ボックス(10)がクローゼット(1)内で倒れることがない。
【符号の説明】
【００２５】
(A)・・・クローゼット内収納ユニット
(1)・・・クローゼット
(2)・・・側壁面
(3)・・・天井面
(10)・・収納ボックス
(12)・・開口部
(15)・・天板
(15a)・・対向面
(20)・・架設棚板
(25)・・軸材
【図１】
2013072202.tif 000003
【図２】
2013072202.tif 000004
【図３】
2013072202.tif 000005
【図４】
2013072202.tif 000006